(57)【要約】      （修正有）【課題】シュレッダー出力トルクを低下させることができるカッター部品を提供する。【解決手段】シュレッダーのカッター部品は、カッター軸と該カッター軸上に設置する盤状カッターを含む。該盤状カッターの厚みは盤周に応じて徐々に変化し、つまりカッターの厚みは異なる幅の設計を呈する。しかもカッター上には刃先を成型し、該刃先はカッターの厚みが最小の位置に位置する。また、カッター幅は等しくなく、紙を裁断する幅はカッターの転動に従い変化し、幅が狭い位置を紙を横方向に切断する位置として設定する。これにより必要なトルクは大幅に低下し、こうしてコストもまた低下する。しかもシュレッダーされる紙の形状はカッター形状の変化に従い菱形、三角形、Ｓ形、柳葉形などの各式各様の変化を形成し、こうして様々な程度の機密保持の要求を達成することができる。【選択図】図１０
0003142229.tif 000002
【実用新案登録請求の範囲】
【請求項１】
カッター軸と該カッター軸上に設置するカッターを含み、
該盤状カッターの厚みは盤周に応じて徐々に変化し、つまりカッターの厚みは異なる幅の設計を呈することを特徴とするシュレッダー出力トルクを低下させることができるカッター部品。
【請求項２】
前記カッター上には刃先を成型し、該刃先はカッターの厚みが最小の位置に位置することを特徴とする請求項１記載のシュレッダー出力トルクを低下させることができるカッター部品。
【請求項３】
前記カッター軸上の相互に隣接する２個のカッター間には間隔距離を形成し、該間隔距離は相互に隣接するカッター軸上の別のカッターに対応し、つまり間隔距離の距離数値はカッターの厚みと同じで、それはカッター盤周に応じて絶えず変化し、こうして相互に隣接する２個のカッター軸上のカッターは交差対応することを特徴とする請求項１或いは請求項２記載のシュレッダー出力トルクを低下させることができるカッター部品。
【請求項４】
前記カッターの厚みはカッター盤周に従い直線性の変化を呈し、或いは厚みはカッター盤周に従い曲線性の変化を呈することを特徴とする請求項３記載のシュレッダー出力トルクを低下させることができるカッター部品。
【請求項５】
前記カッターの片側面は線性変化を呈し、反対側は平面であることを特徴とする請求項３記載のシュレッダー出力トルクを低下させることができるカッター部品。
【請求項６】
前記カッターの辺縁には紙を切断するためのギアチェーンを成型することを特徴とする請求項３記載のシュレッダー出力トルクを低下させることができるカッター部品。
【請求項７】
前記カッターは一対のプレス成型するカッター単体が向かい合って重なり構成し、しかも該各カッター単体がプレスされ形成する鋭利面はこのカッター外側に位置し、この相対し重なるカッター単体が構成するカッターは間隔器を通してカッター軸上に嵌設され、或いはカッター単体そのものをプレスし成型するフランジを通して２個のカッター間の間隔距離を形成することを特徴とする請求項６記載のシュレッダー出力トルクを低下させることができるカッター部品。
【請求項８】
前記カッター単体上には凸台と強化筋をプレス成型することを特徴とする請求項７記載のシュレッダー出力トルクを低下させることができるカッター部品。
【請求項９】
前記カッターは金属プレ部品が旋盤、フライス盤、研磨などの加工技術を経て全体カッターに製造され、この全体カッターの両側或いは片側には凸台を成型し、これにより２個のカッター間には均等な間隔を形成することを特徴とする請求項６記載のシュレッダー出力トルクを低下させることができるカッター部品。
【請求項１０】
前記カッター部品のカッターとカッター軸は円棒が旋盤、フライス盤などを経て一体に製造され、しかも相互に隣接するカッター間には、カッターの厚みと対応する間隔距離を形成することを特徴とする請求項６記載のシュレッダー出力トルクを低下させることができるカッター部品。
【考案の詳細な説明】
【技術分野】
【０００１】
本考案はシュレッダーに関する。特にシュレッダー出力トルクを低下させることができるカッター部品に係る。
【背景技術】
【０００２】
機密性の高いファイル或いはデータが外部に漏れ、不当な人物の手中に渡らないよう、通常はシュレッダーを利用しそれを処理する。このためシュレッダーはビジネス及び家庭生活においてなくてはならない設備になっている。
【０００３】
シュレッダーの多くは、モーター駆動変速機構により比較的低い回転速度、比較的大きなトルクを出力し、多数組のシュレッダーカッターを連動する。図１、図２に示すように、粉砕型シュレッダー（ｃｒｏｓｓｃｕ  ｓｈｒｅｄｄｅｒ）のカッター部品において、盤状カッター１の厚みｔは、紙を縦方向の切り開くカッター幅１１と、紙を横方向に裁断するカッター刃１２を含み構成する。該カッター１は多辺孔或いはＤ形孔、或いはＤ形に類似の孔により、シュレッダー刀軸１０上に設置される。当然、該シュレッダー刀軸１０が該カッター１に設置される断面形状は、相対的に多辺形或いはＤ形、或いはＤ形に類似の形で、しかも多数のカッター１間の間隔は均等で、同一シュレッダー刀軸１０上の２個のカッター１の間の間隔距離はＴである。内、Ｔはｔよりやや大きく、組み立て、設置に便利である。組み立て時には、該シュレッダー刀軸１０のカッター１は別のカッター部品上の２個のカッター１の間に嵌設され、しかも該２個のカッター部品軸方向は重なり交接区域１３で、該２個のカッター部品が相対し回転動する時、１個のカッター部品上のカッターと別のカッター部品上の相互に隣接するカッター間は重なり交接区域１３内において挟み効果を形成する。この効果は紙を図３に示す細長い形状に切り開く。紙が縦方向に切り開かれる紙１４の幅ｔ１とカッター１の厚みｔが相等であることは理解に難くない。別に図３に示すように、伝統的な粉砕型シュレッダーが切り裂く紙１４の形状は長方形で、しかもその長さＤはカッター１上の２個の刃先１２１の間の周辺の長さＬに近似している。
【０００４】
上記シュレッダーの使用時には、カッター部品のカッターの刃先がカッターの回転に従い、別のカッターユニット上の２個の相互に隣接するカッターの重なり交接区域に至る時、該刃先１２１は紙１４を横方向に引き裂き切り裂く。公知のカッター１の厚みは不変であるため、紙１４をシュレッダーする幅は厚みにより決まる。シュレッダーされる紙４の幅が大きくなれば、横方向に紙を引き裂き切り裂くためにより大きなトルクが必要となる。これこそが、公知の粉砕型シュレッダーカッターの欠点である。
【０００５】
現在、公知のカッターには以下の三種の方式がある。
１．図４に示すように、カッター１５は２個がプレスされ形成される金属カッター１５１が相対し重なり構成する。上記のハサミ式の裁断原理では、このカッターユニット両側辺Ａは十分に鋭利でなければ、紙を裁断することができず、ハサミの刃に似ている。しかし、この種のプレス方式製造が鋭利にできるのはカッターの片側だけである。同時に、刃先Ｃも紙を引き裂くだけの鋭利な先端角が要求され、カッター刃Ｂも紙を切り裂くだけのカッター刃の先端付近が要求される。よって、実際の使用では、２個のクリック式カッター１５１を相対的に重ね、この公知の粉砕型シュレッダーのカッター１５を形成する必要がある。
２．図５に示すように、カッター１６は全体式プレ部品により、旋盤、フライス盤などの機械加工を経て鋭利な両側辺、鋭利な刃先及びカッター刃の先端付近を直接作成する。
３．図６に示すように、カッター１７とカッター軸１８は全体式の組合せ部品１９で、該組合せ部品１９全体は、カッター１７刃先外径よりやや大きい円棒により、旋盤、フライス盤などの多数の工程を経て加工成型される。当然、カッター１７は鋭利な両側辺、鋭利な刃先及びカッター刃の先端付近もまた一緒に加工成型される。
【０００６】
上記各種方式のカッターはすべて、図３に示すような矩形にしか紙をシュレッダーすることはできない。なぜなら、カッターの厚みがみな同じであるため、刃先が必要な横方向に紙を切断する幅がカッターの厚みに相当するからである。よって、シュレッダーが横方向に裁断するために必要なトルクは比較的大きく、必要なパワーも相対的に大きくなり、コストも高くなる。
【考案の開示】
【考案が解決しようとする課題】
【０００７】
本考案が解決しようとする課題は、シュレッダーが必要な出力トルクを低下させることができ、しかもシュレッダーされた紙の形状は、公知構造がシュレッダーした紙のように矩形ではなく、必要に応じて菱形、三角形、Ｓ形、柳葉形などの各式各様の変化とすることができ、様々な程度の機密保持の要求を達成することができるシュレッダー出力トルクを低下させることができるカッター部品を提供することである。
【０００８】
シュレッダーのカッター部品は、カッター軸と該カッター軸上に設置する盤状カッターを含み、該盤状カッターの厚みは盤周に応じて徐々に変化し、つまりカッターの厚みは異なる幅の設計を呈する。
【０００９】
該カッターには刃先を成型し、該刃先はカッターの厚みが最小の位置に位置し、該刃先は紙を引き裂くことができる。
【００１０】
該カッター軸上の相互に隣接する２個のカッター間には間隔距離を形成し、該間隔距離は相互に隣接するカッター軸上の別のカッターに対応し、つまり間隔距離の距離数値はカッターの厚みと同じで、それはカッター盤周に応じて絶えず変化し、こうして相互に隣接する２個のカッター軸上のカッターは交差対応する。
【００１１】
該カッターの厚みはカッター盤周に従い直線性の変化を呈し、或いは厚みはカッター盤周に従い曲線性の変化を呈する。
【００１２】
該カッターの片側面は線性変化を呈し、反対側は平面で、或いは両側面共に線性変化を呈する。
【００１３】
該カッターの辺縁には紙を切断するためのギアチェーンを成型する。
【００１４】
該カッターは一対のプレス成型するカッター単体が向かい合って重なり構成し、しかも該各カッター単体がプレスされ形成する鋭利面はこのカッター外側に位置し、この相対し重なるカッター単体が構成するカッターは間隔器（spacer）を通してカッター軸上に嵌設され、或いはカッター単体そのものをプレスし成型するフランジ（ｆｌａｎｇｅ）を通して２個のカッター間の間隔距離を形成し、該カッターの強度を増強するため、該カッター単体上には凸台と強化筋をプレス成型する。
【００１５】
該カッターは金属プレ部品が旋盤、フライス盤、研磨などの加工技術を経て製造され、このカッターの両側或いは片側には凸台を成型し、これにより２個のカッター間には均等な間隔を形成する。
【００１６】
該カッターとカッター軸は円棒が旋盤、フライス盤などを多数の工程を経て加工成型され、しかも相互に隣接するカッター間には、カッターの厚みと対応する間隔距離を形成する。
【００１７】
上記のように、本考案のカッター幅は等しくなく、紙を裁断する幅はカッターの転動に従い変化し、幅が狭い位置を紙を横方向に切断する位置として設定する。これにより必要なトルクは大幅に低下し、こうしてコストもまた低下する。しかもシュレッダーされる紙の形状はカッター形状の変化に従い菱形、三角形、Ｓ形、柳葉形などの各式各様の変化を形成し、こうして様々な程度の機密保持の要求を達成することができる。
【課題を解決するための手段】
【００１８】
請求項１の考案は、カッター軸と該カッター軸上に設置するカッターを含み、
該盤状カッターの厚みは盤周に応じて徐々に変化し、つまりカッターの厚みは異なる幅の設計を呈することを特徴とするシュレッダー出力トルクを低下させることができるカッター部品としている。
請求項２の考案は、前記カッター上には刃先を成型し、該刃先はカッターの厚みが最小の位置に位置することを特徴とする請求項１記載のシュレッダー出力トルクを低下させることができるカッター部品としている。
請求項３の考案は、前記カッター軸上の相互に隣接する２個のカッター間には間隔距離を形成し、該間隔距離は相互に隣接するカッター軸上の別のカッターに対応し、つまり間隔距離の距離数値はカッターの厚みと同じで、それはカッター盤周に応じて絶えず変化し、こうして相互に隣接する２個のカッター軸上のカッターは交差対応することを特徴とする請求項１或いは請求項２記載のシュレッダー出力トルクを低下させることができるカッター部品としている。
請求項４の考案は、前記カッターの厚みはカッター盤周に従い直線性の変化を呈し、或いは厚みはカッター盤周に従い曲線性の変化を呈することを特徴とする請求項３記載のシュレッダー出力トルクを低下させることができるカッター部品としている。
請求項５の考案は、前記カッターの片側面は線性変化を呈し、反対側は平面であることを特徴とする請求項３記載のシュレッダー出力トルクを低下させることができるカッター部品としている。
請求項６の考案は、前記カッターの辺縁には紙を切断するためのギアチェーンを成型することを特徴とする請求項３記載のシュレッダー出力トルクを低下させることができるカッター部品としている。
請求項７の考案は、前記カッターは一対のプレス成型するカッター単体が向かい合って重なり構成し、しかも該各カッター単体がプレスされ形成する鋭利面はこのカッター外側に位置し、この相対し重なるカッター単体が構成するカッターは間隔器を通してカッター軸上に嵌設され、或いはカッター単体そのものをプレスし成型するフランジを通して２個のカッター間の間隔距離を形成することを特徴とする請求項６記載のシュレッダー出力トルクを低下させることができるカッター部品としている。
請求項８の考案は、前記カッター単体上には凸台と強化筋をプレス成型することを特徴とする請求項７記載のシュレッダー出力トルクを低下させることができるカッター部品としている。
請求項９の考案は、前記カッターは金属プレ部品が旋盤、フライス盤、研磨などの加工技術を経て全体カッターに製造され、この全体カッターの両側或いは片側には凸台を成型し、これにより２個のカッター間には均等な間隔を形成することを特徴とする請求項６記載のシュレッダー出力トルクを低下させることができるカッター部品としている。
請求項１０の考案は、前記カッター部品のカッターとカッター軸は円棒が旋盤、フライス盤などを経て一体に製造され、しかも相互に隣接するカッター間には、カッターの厚みと対応する間隔距離を形成することを特徴とする請求項６記載のシュレッダー出力トルクを低下させることができるカッター部品としている。
【考案の効果】
【００１９】
本考案のカッター幅は等しくなく、紙を裁断する幅はカッターの転動に従い変化し、幅が狭い位置を紙を横方向に切断する位置として設定する。これにより必要なトルクは大幅に低下し、こうしてコストもまた低下する。しかもシュレッダーされる紙の形状はカッター形状の変化に従い菱形、三角形、Ｓ形、柳葉形などの各式各様の変化を形成し、こうして様々な程度の機密保持の要求を達成することができる。
【考案を実施するための最良の形態】
【００２０】
図７に示すように、本考案カッター部品はカッター２、該カッター２を設置するカッター軸３を含む。該カッター２は円盤状に近似し、しかも該カッター２中間には該カッター軸３と対応可能な設置孔２０を形成する。
【００２１】
該カッター２の厚みは円周に応じて徐々に変化する。同一カッター軸３上の相互に隣り合った２個のカッター２の間には間隔距離４を形成し、該間隔距離４は相互に隣り合ったカッター軸３上の別のカッター２に対応する。該間隔距離４数値は該カッター２の厚みと同じで、カッター辺２円周に応じて絶えず変化し、こうして相互に隣り合ったカッター軸３上のカッター２の交差対応を確保し、裁断効果を達成する。
【００２２】
該カッター２は刃先２１を形成し、該刃先２１はカッター２の厚みが最小の位置に位置する。つまり、カッター２の刃先２１は、厚みが最小の位置において、紙を横方向に切断する。相互に隣り合った２個の刃先２１の周辺弧の長さＬ１は、シュレッダーした紙の長さＬ２と相等である。該カッター２はカッター軸３が向かい合い回転し連動される時、図８に示す陰影部分の交接区２９が生じるハサミ効果は、紙を縦方向に切り開く。この時、カッター２の厚みは絶えず変化するため、切り開かれた紙の幅もそれに従い変化する。カッター２の厚みが最小の位置では、該刃先２１は該カッター軸３により駆動され、陰影部分の交接区２９まで回転し至る時には、紙は横方向に引き裂かれ、切り裂かれる。
【００２３】
上記のように、該カッター２は異なる幅のシュレッダー後の紙５を、図９に示すように、最小の位置で横方向に引き裂き、切り裂く。この時、必要なトルク、パワー、コストは大幅に低下する。
【００２４】
第一実施例：図１０に示すように、カッター部品中の任意のカッター２は一対のプレス成型のカッター単体２２により向かい合い対応し重なり構成される。さらに、該各カッター単体２２がプレス形成する鋭利面は、カッター外側に位置し、刃先２２１もこのように位置するため、紙の切り開き、引き裂き、切断の有利である。設置時には、この相対し重なるカッター単体２２が構成するカッター２は、間隔器２２２を通過し、カッター軸上に嵌設され、こうしてカッター間には安定した間隔が形成される。図１１に示すように、カッター単体２２自身をプレスし成型するフランジ２２３は２個のカッター間の間隔を形成する。また比較的薄い金属板材を採用するが、プレス成型の凸台２２４と強化筋２２５などにより、カッター強化と内部接合の目的を達成し、該カッター単体２２の厚みｔ２は、２個が重なった後の厚みで、すなわちシュレッダーされた紙の幅である。
【００２５】
第二実施例：図１３に示すように、カッター２は金属プレ部品が旋盤、フライス盤、研磨などの加工を経て、刃先が鋭利なカッター単体２３を形成する。該カッター単体２３もまたその両側或いは片側に、図１４に示すフランジ２３１を形成し、２個のカッター間に必要な間隔を形成する。
【００２６】
第三実施例：図１５に示すように、カッター２とカッター軸３は円棒が旋盤、フライス盤などの多数の工程を経て全体カッター部品３０に形成される。当然、カッター２の鋭利な両側辺、鋭利な刃先及びカッター刃の先端付近も一緒に加工成型される。カッター２間の間隔距離は加工時に一度に完成されるため、別に間隔器を設置する必要はない。
【００２７】
上記シュレッダー機構において、カッター２周辺輪郭は円形の他に、楕円形、円形に類似の形、封鎖式環状などとすることができる。
【００２８】
また、シュレッダーを待つ紙がカッター部品に従いスムーズに回転し迅速に下方へと引かれるようにするため、カッター周辺にはさらにギアチェーン２５を形成する。
【００２９】
上記のように、本考案シュレッダーのカッターユニットにおいて、カッター２の厚みの曲線変化は、カッターの片側或いは両側に形成することができる。もしカッター２の片側だけが曲線変化を呈するなら、反対側は平面である。
【００３０】
カッター２はその厚みが最小の位置に刃先２１を形成し、カッター２全体はこの最小位置において刃先２１を通して紙を横方向にシュレッダー裁断する。こうしてシュレッダーに必要なトルク、出力パワー、コストを低下させることができる。
【００３１】
もしカッター上に刃先２１を設置しないなら、シュレッダーする紙は長方形で、紙は刃先により横方向の引き裂かれない。これが一般的に言われるストライプカットシュレッダー（ｓｔｒｉｐｃｕｔ  ｓｈｒｅｄｄｅｒ）である。
【００３２】
本考案がシュレッダーする紙の形状は公知のシュレッダーされた紙のように矩形ではなく、様々な機密保持の必要に応じて、図１６ａ〜１６ｄに示すように、菱形５２、柳葉形５３、三角形５４、Ｓ形５５などの各種形式の形状とすることができる。
【図面の簡単な説明】
【００３３】
【図１】公知のシュレッダーカッターユニットの俯瞰図である。
【図２】公知のシュレッダーカッターユニットの底面図である。
【図３】公知のシュレッダーによりシュレッダー後の紙の形状の概略図である。
【図４】公知のシュレッダーが第一種方式を採用し製造するカッターの構造図である。
【図５】公知のシュレッダーが第二種方式を採用し製造するカッターの構造図である。
【図６】公知のシュレッダーが第三種方式を採用し製造するカッターの構造図である。
【図７】本考案の立体図である。
【図８】本考案の正面図である。
【図９】本考案がシュレッダー後の紙の概略図である。
【図１０】本考案第一実施例カッターユニットの立体図である。
【図１１】本考案第一実施例カッターの立体図である。
【図１２】本考案第一実施例カッターの正面図である。
【図１３】本考案第二実施例カッターの立体図である。
【図１４】本考案第二実施例カッターがフランジを含む立体図である。
【図１５】本考案第三実施例の立体図である。
【図１６】本考案がシュレッダー後の紙の概略図である。
【符号の説明】
【００３４】
２  カッター
２２、２３  カッター単体
２０  設置孔
２１、２２１  刃先
２２２  間隔器
２２３、２３１  フランジ
２２４  凸台
２２５  強化筋
２５  ギアチェーン
２９  交接区
３  カッター軸
３０  カッター部品
４  間隔距離
５  シュレッダー後の紙
５２  菱形
５３  柳葉形
５４  三角形
５５  Ｓ形
【図１】
0003142229.tif 000003
【図２】
0003142229.tif 000004
【図３】
0003142229.tif 000005
【図４】
0003142229.tif 000006
【図５】
0003142229.tif 000007
【図６】
0003142229.tif 000008
【図７】
0003142229.tif 000009
【図８】
0003142229.tif 000010
【図９】
0003142229.tif 000011
【図１０】
0003142229.tif 000012
【図１１】
0003142229.tif 000013
【図１２】
0003142229.tif 000014
【図１３】
0003142229.tif 000015
【図１４】
0003142229.tif 000016
【図１５】
0003142229.tif 000017
【図１６】
0003142229.tif 000018